(57)【要約】【課題】  実際に印字された印刷媒体の光沢感の評価値を求め、該評価値に基づいて色分解処理を行うことにより所望の光沢感を得る。【解決手段】  カラー画像処理装置において、使用インクの情報に基づき所定の色信号値のパッチを生成するパッチ生成手段と、前記パッチの光沢特性を測定する光沢特性測定手段と、前記パッチの光沢特性に基づき前記カラー画像処理装置によって出力された印刷媒体の所定の色信号値において前記光沢特性が最適になるように色分解する色分解手段と、を有する。【選択図】  図１
2008072478.tif 000002
【特許請求の範囲】
【請求項１】
カラー画像処理装置において、使用インクの情報に基づき所定の色信号値のパッチを生成するパッチ生成手段と、前記パッチの光沢特性を測定する光沢特性測定手段と、前記パッチの光沢特性に基づき前記カラー画像処理装置によって出力された印刷媒体の所定の色信号値において前記光沢特性が光沢目標値になるように色分解する色分解手段と、を有することを特徴とする画像処理装置。
【請求項２】
前記色分解手段は、前記印刷媒体の所定の色信号値における光沢特性と予め規定した目標とする光沢特性との差を最小にするための色分解であることを特徴とする請求項１記載の画像処理装置。
【請求項３】
前記色分解手段は、前記印刷媒体の複数の色信号値における光沢特性に基づき、前記複数の色信号値間における光沢ムラを最小にするための色分解であることを特徴とする請求項１記載の画像処理装置。
【請求項４】
前記光沢特性は、前記印刷媒体表面に映り込んだ照明像の明るさを示す指標値と該照明像の鮮明さを示す指標値の２つの尺度で構成されることを特徴する請求項１記載の画像処理装置。
【請求項５】
前記照明像の明るさを示す指標値は、鏡面光沢度を含む印刷媒体の正反射光の強度を示す指標値であることを特徴とする請求項４記載の画像処理装置。
【請求項６】
前記照明像の鮮明さ示す指標値は、ヘイズ測定方法に基づく指標値であることを特徴とする請求項４記載の画像処理装置。
【請求項７】
前記照明像の鮮明さ示す指標値は、写像性測定方法に基づく指標値であることを特徴とする請求項４記載の画像処理装置。
【請求項８】
前記照明像の鮮明さ示す指標値は、正反射近傍を変角して測定した反射光の強度分布である変角反射光分布の広がり情報に基づく指標値であることを特徴とする請求項４記載の画像処理装置。
【請求項９】
カラー画像処理装置において、使用インクの情報に基づき所定の色信号値のパッチを生成するパッチ生成工程と、前記パッチの光沢特性を測定する光沢特性測定工程と、前記パッチの光沢特性に基づき前記カラー画像処理装置によって出力された印刷媒体の所定の色信号値において前記光沢特性が光沢目標値になるように色分解する色分解工程と、を有することを特徴とする画像処理方法。
【請求項１０】
前記色分解工程は、前記印刷媒体の所定の色信号値における光沢特性と予め規定した目標とする光沢特性との差を最小にするための色分解であることを特徴とする請求項９記載の画像処理方法。
【請求項１１】
前記色分解工程は、前記印刷媒体の複数の色信号値における光沢特性に基づき、前記複数の色信号値間における光沢ムラを最小にするための色分解であることを特徴とする請求項９記載の画像処理方法。
【請求項１２】
前記光沢特性は、前記印刷媒体表面に映り込んだ照明像の明るさを示す指標値と該照明像の鮮明さを示す指標値の２つの尺度で構成されることを特徴する請求項９記載の画像処理方法。
【請求項１３】
前記照明像の明るさを示す指標値は、鏡面光沢度を含む印刷媒体の正反射光の強度を示す指標値であることを特徴とする請求項１２記載の画像処理方法。
【請求項１４】
前記照明像の鮮明さ示す指標値は、ヘイズ測定方法に基づく指標値であることを特徴とする請求項１２記載の画像処理方法。
【請求項１５】
前記照明像の鮮明さ示す指標値は、写像性測定方法に基づく指標値であることを特徴とする請求項１２記載の画像処理方法。
【請求項１６】
前記照明像の鮮明さ示す指標値は、正反射近傍を変角して測定した反射光の強度分布である変角反射光分布の広がり情報に基づく指標値であることを特徴とする請求項１２記載の画像処理方法。
【請求項１７】
情報処理装置を制御することによって、請求項９乃至請求項１６記載の画像評価方法を実行することを特徴とするプログラム。
【請求項１８】
請求項１７に記載されたプログラムが記録されたことを特徴とする記録媒体。
【発明の詳細な説明】
【技術分野】
【０００１】
本発明は印刷における色分解技術、特に出力画像において所望の光沢感を実現する技術、および、出力画像における光沢ムラを低減させる技術に関する。
【背景技術】
【０００２】
ワードプロセッサ、パーソナルコンピュータ、ファクシミリ等に於ける情報出力装置として、所望される文字や画像等の情報を用紙やフィルム等シート状の記録媒体に記録を行う記録装置には様々な方式のものがあるが、その中で、記録媒体に記録剤を付着することで記録媒体上にテキストや画像を形成する方式が実用化されており、このような方式の代表例として、インクジェット記録装置がある。近年、インクジェット記録装置の性能が向上し、テキストばかりでなく、カラー画像も記録されるようになってきた。
【０００３】
上記インクジェット記録装置は、プリンタヘッドから吐出されるインクドットの空間的な配置によって、中間階調を表現しているが、ドット密度が小さい領域、すなわち、ハイライト部においては、印字されたドットが、視覚的に目立ち、粒状性を悪化させてしまう。
【０００４】
そこで、近年、特開２００２−０５９５７１号公報に示されるように、従来の印刷に用いられている基本色材色（ＣＭＹＫ）4色に加えＬｃ（ライトシアン）、Ｌｍ（ライトマゼンタ）という淡い色の色材を用いることにより、ハイライト部の粒状性を向上させる技術が用いられている。
【０００５】
また、近年のカラーインクジェット記録装置の急速な普及に伴い、より高画質への要求が高まってきた。特に、記録装置が再現することのできる色領域を拡張させて、より鮮やかな出力画像が求められている。これに対し、ＣＭＹの３色のうち、各１色で再現できる色領域については、個々の色材の発色特性や色材濃度を改善することによって色再現領域を拡張することが可能であるが、２色以上の記録剤で形成されるＲ、Ｇ、Ｂ領域で、特に彩度の高い色領域では、従来のＣＭＹＫの４色では再現できる色領域に限りがあり、より鮮やかな色再現が難しくなる。この色再現領域の拡張に際し、特開２００１−１３６４０１号公報には、ＣＭＹＫの４色の基本色材に加えて、減法混色の３原色以外の高彩度な色、すなわち特色インクを追加し、画像形成を行う方法が開示されている。
【特許文献１】特開２００２−０５９５７１号公報
【特許文献２】特開２００１−１３６４０１号公報
【発明の開示】
【発明が解決しようとする課題】
【０００６】
上述したように、近年のカラーインクジェット記録装置における色材色の増加に伴い、所望の色を実現するため２色以上の色材色を用いる場合の組み合わせの数が増大している。この色材色の組み合わせによって、出力画像の光沢感が異なる。所望の色を実現するために候補となる複数の色材色の組み合わせの中から最適な組み合わせを選択するために、粒状性の評価値や再現することのできる色領域の大きさの評価値から、色材色の組み合わせを決定する技術は既に用いられている。しかしながら、光沢特性を利用して色材色の組み合わせを決定する技術はなく、色材色の組み合わせ方法によって光沢感を制御することができないという問題点があった。
【０００７】
また、印刷においては単純に光沢感が高ければ良いというわけではなく、異なる色の間に光沢感の差異が少ないことが重要視されている。すなわち、光沢ムラの抑制が課題になっている。
【０００８】
印刷などのシート状の記録媒体についての光沢測定技術としては、一般的に鏡面光沢度測定方法（ＪＩＳ  Ｚ  ８７４１）が用いられているが、前記鏡面光沢度測定方法に基づく測定値は画像観察者が感じる光沢感とは必ずしも一致しない場合がある。このため、前記鏡面光沢度測定方法に基づく測定値を利用して色分解を行っても、所望の光沢感を実現できないという問題点があった。さらに、前記鏡面光沢度測定方法に基づく測定値が同一でも、光沢感の差異、すなわち光沢ムラが発生してしまうという問題点があった。
【０００９】
本発明は、以上のような課題を鑑みてなされたものであり、実際に印字された印刷媒体の光沢感の評価値を求め、該評価値に基づいて色分解処理を行うことにより所望の光沢感を得る方法を提供すること、および、複数の色についての該評価値に基づいて色分解処理を行うことにより、複数の色の間で発生する光沢ムラを抑制する方法を提供することを目的としている。
【課題を解決するための手段】
【００１０】
上記目的を達成するための一手段として、本発明は以下の構成を備える。
【００１１】
本発明の画像処理装置は、カラー画像処理装置において、使用インクの情報に基づき所定の色信号値のパッチを生成するパッチ生成手段と、前記パッチの光沢特性を測定する光沢特性測定手段と、前記パッチの光沢特性に基づき前記カラー画像処理装置によって出力された印刷媒体の所定の色信号値において前記光沢特性が最適になるように色分解する色分解手段と、を有することを特徴とする。
【発明の効果】
【００１２】
以上説明したように、本発明によれば、目標とする光沢感を実現する色分解方法を決定することが可能となる。さらに、光沢ムラを抑制するための色分解方法を決定することが可能となる。
【発明を実施するための最良の形態】
【００１３】
以下、図面を参照して本発明の実施の形態について詳細に説明する。
【００１４】
[第一の実施形態]
まず、図１から図４を参照して、本発明によって所望の光沢感を実現する方法を説明する。
【００１５】
図１は、本発明の一実施形態である画像処理装置の概要を表したブロック図である。１０１は本発明の実施形態である画像処理装置である。１０２は画像出力に用いるインクの種類および測色値を記憶するインクデータ部である。１０３はインクの組み合わせによって所望のＬ＊ａ＊ｂ＊値になるよう調整されたパッチデータ生成部である。１０４は、パッチデータ生成部で作られたパッチデータを記憶するパッチデータ記憶部である。１０５は所望の画像出力装置１０６によって、１０４に記憶されているパッチデータに従いパッチを出力するパッチ出力部である。１０７は１０５で出力されたパッチの光沢特性を測定する光沢特性測定部である。１０８は１０７で測定されたパッチの光沢特性を、パッチの光沢評価値として記憶する光沢評価値記憶部である。１０９は、パッチの光沢目標値を予め入力するための光沢目標値入力部である。１１０は１０９で入力された光沢目標値を記憶する光沢目標値記憶部である。１１１は１０８で記憶されている光沢評価値と１１０で記憶されている光沢目標値との光沢感の定量的な差を演算によって求める光沢差演算部である。１１２は１１１で求めたパッチの光沢評価値と目標値との光沢差を記憶する光沢差記憶部である。１１２は１１１で記憶されている光沢差に基づき光沢差が最小になるインクの組み合わせを、１０４に記憶されているパッチデータの中から選択する色分解決定部である。
【００１６】
図２は、本実施形態における画像処理装置の概要が示されている図１にて行われる処理の流れを記載したフローチャートである。まず、光沢目標値入力部１０９で、所望の画像出力装置で出力される所定のＬ＊ａ＊ｂ＊値のパッチにおける光沢目標値を設定する（Ｓ２０１）。ステップＳ２０１で設定した光沢目標値は光沢目標値記憶部１１０に格納される（Ｓ２０２）。次に、インクデータ記憶部１０２に格納されているインクの種類および各インクの測色値に基づき、様々な種類のインクを所定の割合で組み合わせることで所定のＬ＊ａ＊ｂ＊値になるように調整された複数のパッチデータをパッチデータ生成部１０３にて生成し、生成されたパッチデータをパッチデータ記憶部１０４に格納する。１０２に格納されたインクデータと対応する画像出力装置１０６を利用し、１０４に格納されたパッチデータに基づいてパッチ出力部１０５にて所定のＬ＊ａ＊ｂ＊値のパッチを出力する（Ｓ２０３）。ステップＳ２０３で出力されたパッチの光沢特性を光沢特性測定部１０７にて測定する（Ｓ２０４）。１０７にて測定された測定値を光沢評価値として所定の形式で光沢評価値記憶部１０８に格納する（Ｓ２０５）。ステップS２０３で出力した全てパッチについて、１０８に評価値が格納されているかを判定し、格納されていないパッチがあればステップS２０４、S２０５の処理を繰り返す（S２０６）。１０８に出力した全てのパッチの評価値が格納されていれば、光沢差演算部１１１にて、１１０に格納されている光沢目標値と１０８に格納されている全てのパッチの光沢評価値に基づき、後述する所定の演算処理によって各パッチの光沢評価値と光沢目標値との差を求める（S２０７）。ステップS２０７で求めた各パッチの光沢目標値との差を光沢差記憶部１１２に格納する（S２０８）。１１２に格納された全てのパッチの光沢目標値との光沢差から値が最小になるものを選択し、該当するパッチについて１０４に記憶されているパッチデータから所定のＬ＊ａ＊ｂ＊値のパッチに対して、所望の光沢感を実現するインクの組み合わせを色分解決定部１１３にて決定する（S２０９）。
【００１７】
本実施形態においてＳ２０４で算出される光沢特性の評価方法について、図３を用いて詳細に説明する。図３は、本発明における光沢特性を視覚的に把握するための光沢感評価グラフを示す図である。図３のグラフにおける横軸GXは、評価対象の印刷物表面に映り込んだ照明の像の鮮明さを示す指標値である。該指標値は、試料表面の曇り具合を測定するヘイズ測定方法（ＩＳＯ  １３８０３、ＡＳＴＭ  Ｅ  ４３０）に基づく測定値や、試料表面に映り込んだ物体の像の鮮明度を測定する写像性測定方法（ＪＩＳ  Ｋ  ７１０５、ＪＩＳ  Ｈ  ８６８６）に基づく測定値など、評価対象の印刷媒体について照明の像の鮮明さを示す指標値であれば良い。また、前記指標値は正反射近傍の反射光強度を変角して測定した際の反射光分布の空間的な広がりから算出しても良い。図３のグラフにおける縦軸GYは、評価対象の印刷物表面に映り込んだ照明の像の明るさを示す指標値である。該指標値は、鏡面光沢度測定方法（JIS  Z  ８７４１）に基づく測定値や、正反射近傍の反射光強度を変角して測定した際のピーク強度など、評価対象の印刷媒体について照明の像の明るさを示す指標値であれば良い。図３の３１、３２、３３は、測定した試料Ａ、試料Ｂ、試料Ｃについての光沢評価値を示している。図３によれば、３１と３２は印刷物表面に映り込んだ照明や物体の像の明るさは等しいが、３２より３１の方が像の鮮明さは高いことを示しており、画像観察者には３１の方が３２より光沢感が高いと感じる。３１と３２は印刷物表面に映り込んだ照明や物体の像の鮮明さは等しいが、３２より３１の方が像の明るさは明るいことを示しており、画像観察者には３２の方が３３より光沢感が高いと感じる。同様に、３１と３３の比較では、３１の方が３３に比べ印刷物表面に映り込んだ照明や物体の像はより明るくより鮮明であり、画像観察者には３１の方が３３より光沢感が高いと感じる。つまり、図３においてGXの数値が小さいほど、また、GYの数値が大きいほど、画像観察者が感じる光沢感が高いことを示している。
【００１８】
本実施形態においてＳ２０７で算出される光沢目標値と各パッチの光沢評価値との差の演算方法について、図４を用いて説明する。図４は、１０８に格納されている試料Ａの光沢評価値４１と１０７に格納されている光沢目標値４２を、図３の光沢感評価グラフにプロットした様子を示す図である。４３はGX方向の４１と４２の差、ΔGXである。４４はGY方向の４１と４２の差、ΔGYである。４５は４１と４２の光沢差ΔＧであり、以下の（１）式で算出される。
【００１９】
【数１】
2008072478.tif 000003
１０８に格納されている全てのパッチの光沢評価値に対して、上記（１）式に示す演算を行い、算出されたΔＧの最小値を求めることによって、所望の光沢感を実現するインクの組み合わせを決定する。
【００２０】
次に、図５から図９を参照して、本発明によって光沢ムラを抑制する方法を説明する。
【００２１】
図５は、本発明の一実施形態である画像処理装置の概要を表したブロック図である。５０１は本発明の実施形態である画像処理装置である。５０２は画像出力に用いるインクの種類および測色値を記憶するインクデータ部である。５０３はインクの組み合わせによって所望のＬ＊ａ＊ｂ＊値になるよう調整されたパッチデータ生成部である。５０３にて予め設定された複数のＬ＊ａ＊ｂ＊値に対応するパッチデータを生成する。５０４は、パッチデータ生成部で作られたパッチデータを記憶するパッチデータ記憶部である。５０５は所望の画像出力装置５０６によって、５０４に記憶されているパッチデータに従いパッチを出力するパッチ出力部である。５０７は５０５で出力されたパッチの光沢特性を測定する光沢特性測定部である。５０８は５０７で測定されたパッチの光沢特性を、パッチの光沢評価値として記憶する光沢評価値記憶部である。５０９は、所定のＬ＊ａ＊ｂ＊値になるよう調整され出力したパッチ群の光沢評価値に基づき、所定のＬ＊ａ＊ｂ＊値における光沢評価値の重心点を演算する評価値重心演算部である。５１１は、５０９で算出された予め設定された複数のＬ＊ａ＊ｂ＊値における光沢評価値の各重心点に基づき、予め設定された複数のＬ＊ａ＊ｂ＊値全てについて重心点を演算する全重心演算部である。５１２は、５１１で演算された全重心点を格納する全重心記憶部である。５１３は、５０８に格納されている全パッチの光沢評価値と、５１０に格納されている各Ｌ＊ａ＊ｂ＊値についての光沢評価値の重心点と、５１２に格納されている全てのＬ＊ａ＊ｂ＊値の重心点と５０４に格納されているパッチデータに基づき、光沢ムラが最小になるようなインクの組み合わせを決定する色分解決定部である。
【００２２】
図６は、本実施形態における画像処理装置の概要が示されている図５にて行われる処理の流れを記載したフローチャートである。まず、光沢ムラの評価に利用する代表点のＬ＊ａ＊ｂ＊値を設定する（Ｓ６０１）。Ｓ６０１で設定する代表点は、２つ以上であれば幾つ設定しても良い。ステップＳ６０１で設定された全ての代表点に対し、インクデータ記憶部５０２に格納されているインクの種類および各インクの測色値に基づき、様々な種類のインクを所定の割合で組み合わせることで所定のＬ＊ａ＊ｂ＊値になるように調整された複数のパッチデータをパッチデータ生成部５０３にて生成する。ステップＳ６０２で生成されたパッチデータをパッチデータ記憶部５０４に格納する。５０２に格納されたインクデータと対応する画像出力装置５０６を利用し、５０４に格納されたパッチデータに基づいてパッチ出力部５０５にて、全ての代表点に対応するＬ＊ａ＊ｂ＊値のパッチを出力する（Ｓ６０３）。ステップＳ６０３で出力されたパッチの光沢特性を光沢特性測定部５０７にて測定する（Ｓ６０４）。５０７にて測定された測定値を光沢評価値として所定の形式で光沢評価値記憶部５０８に格納する（Ｓ６０５）。ステップS６０３で出力した全てパッチについて、５０８に光沢評価値が格納されているかを判定し、格納されていないパッチがあればステップS６０４、S６０５の処理を繰り返す（S６０６）。５０８に出力した全てのパッチの光沢評価値が格納されていれば、該パッチの光沢評価値に基づき、代表点間の光沢ムラが最小になるインクの組み合わせを決定する（Ｓ６０７）。
【００２３】
図７は、ステップＳ６０７の色分解処理の詳細な流れを記載したフローチャートである。まず、光沢評価値記憶部５０８に格納されている所定のＬ＊ａ＊ｂ＊値についての光沢評価値（ ＧXij ，ＧYij ）を呼び出す（Ｓ７０１）。ＧX、ＧYの添え字のiは、第i番目のＬ＊ａ＊ｂ＊値であることを表す。ＧX、ＧYの添え字のjは、第i番目のＬ＊ａ＊ｂ＊値を出力する第j番目のインクの組み合わせであることを表す。次に、インクの組み合わせを変えるため、jのインクリメント処理を行う（Ｓ７０２）。Ｓ６０６で格納されている全てのインクの組み合わせに対して、第i番目のＬ＊ａ＊ｂ＊値の光沢評価値が呼び出されたかを判定し、第i番目のＬ＊ａ＊ｂ＊値を出力する全てのインクの組み合わせに光沢評価値が呼び出されていなければ、ステップＳ７０１、Ｓ７０２の処理を繰り返す（Ｓ７０３）。Ｓ７０３にて、第i番目のＬ＊ａ＊ｂ＊値の光沢評価値が呼び出されたことが確認された後、第i番目のＬ＊ａ＊ｂ＊値である複数のパッチの光沢評価値に対して、重心を算出する（Ｓ７０４）。図８を参照して重心の演算方法を説明する。図８は、図３に示された光沢感評価グラフに、第i番目のＬ＊ａ＊ｂ＊値である複数のパッチの光沢評価値をプロットした図である。８１、８２、８３、８４は第i番目のＬ＊ａ＊ｂ＊値であるパッチ、試料１、試料２、試料３、試料４の光沢評価値である。説明の便宜上、第i番目のＬ＊ａ＊ｂ＊値である４点の評価値を示してあるが、プロットする点の個数は特に限定しなくて良い。８５は前記４点の評価値の光沢分布を示す。８６は前記４点から算出された重心点である。図８において矢印は、各評価値および重心点のベクトル表示である。重心点は、前記ベクトルを利用し、以下の（２）式に従って算出する（Ｓ７０４）。
【００２４】
【数２】
2008072478.tif 000004
次に、Ｌ＊ａ＊ｂ＊値を示すiをインクリメント処理し（Ｓ７０５）、全ての代表点における重心の演算処理が終了したかを判定する（Ｓ７０６）。ステップＳ７０６で、全ての代表点における重心の演算処理が終了したことを確認するまで、Ｓ７０１からＳ７０５までの処理を繰り返す。ステップＳ７０６で、全ての代表点における重心の演算処理が終了したことを確認した後、各色における重心点から全色における重心点を以下の（３）式に従って算出する（Ｓ７０７）。
【００２５】
【数３】
2008072478.tif 000005
上記（３）式によって演算される全色の重心点に基づき、第i番目のＬ＊ａ＊ｂ＊値とその他のＬ＊ａ＊ｂ＊値との間の光沢ムラを抑制するように、すなわち、光沢評価値の差が最小になるように色分解を行う（Ｓ７０８）。第i番目のＬ＊ａ＊ｂ＊値とその他のＬ＊ａ＊ｂ＊値との間の光沢ムラを抑制するような色分解が決定された後、iをインクリメント処理し（Ｓ７０９）、全ての代表点について色分解方法が決定されたかを判定する（Ｓ７１０）。ステップＳ７１０にて、全ての代表点について色分解方法が決定されていなければ、次のＬ＊ａ＊ｂ＊値についてステップＳ７０８と同様の処理を行う。ステップＳ７１０にて、全ての代表点について色分解方法が決定されことを確認した後、全体の処理が終了する。
【００２６】
ステップＳ７０８における処理の方法を、図９を参照して説明する。図９は、図３の光沢感評価グラフに、代表点における複数のパッチの光沢評価値をプロットした図である。９０１は、第一のＬ＊ａ＊ｂ＊値において、様々なインクの組み合わせに対する光沢評価値のばらつきを示す光沢分布である。９０２、９０３、９０４は、第二のＬ＊ａ＊ｂ＊値、第三のＬ＊ａ＊ｂ＊値、第四のＬ＊ａ＊ｂ＊値における光沢分布である。９０５は、第一のＬ＊ａ＊ｂ＊値において、（２）式を用いて求めた第一のＬ＊ａ＊ｂ＊値における光沢評価値の重心点である。９０６、９０７、９０８は、第二のＬ＊ａ＊ｂ＊値、第三のＬ＊ａ＊ｂ＊値、第四のＬ＊ａ＊ｂ＊値における光沢評価値の重心点である。９０９は、９０５から９０８の光沢評価値の重心点に基づき、（３）式を用いて求めた全代表点の重心点である。第一のＬ＊ａ＊ｂ＊値において、その他のＬ＊ａ＊ｂ＊値との光沢ムラを最小に抑える色分解を決定するために、９０１の中から９０９に最も近い点を探す。すなわち、９０１に分布する各光沢評価値と９０９との距離が最小になる点９１０を選択する。同様にして、第二のＬ＊ａ＊ｂ＊値、第三のＬ＊ａ＊ｂ＊値、第四のＬ＊ａ＊ｂ＊値において、９０９と最短距離の点、９１２、９１３、９１４を選択することで、全代表点において光沢ムラを最小にするための色分解を決定することが可能になる。さらに、代表点における色分解が決定された後、近傍の代表点の色分解に基づき所望の補間処理を行うことで、代表点以外のＬ＊ａ＊ｂ＊値においても、光沢ムラを抑制する色分解を決定することが可能になる。
【００２７】
[第二の実施形態]
以上、実施形態例を詳述したが、本発明は、例えば、システム、装置、方法、プログラム若しくは記憶媒体（記録媒体）等としての実施態様をとることが可能であり、具体的には、複数の機器から構成されるシステムに適用しても良いし、また、一つの機器からなる装置に適用しても良い。
【００２８】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００２９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００３０】
その場合、プログラムの機能を有していれば、オブジェクトコード、インタプリタにより実行されるプログラム、OSに供給するスクリプトデータ等の形態であっても良い。
【００３１】
プログラムを供給するための記録媒体としては、例えば、フロッピー（登録商標）ディスク、ハードディスク、光ディスク、光磁気ディスク、MO、CD-ROM、CD-R、CD-RW、磁気テープ、不揮発性のメモリカード、ROM、DVD(DVD-ROM，DVD-R)などがある。
【００３２】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるWWWサーバも、本発明に含まれるものである。
【００３３】
また、本発明のプログラムを暗号化してCD-ROM等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００３４】
また、コンピュータが、読み出したプログラムを実行することによって、前述した実施形態の機能が実現される他、そのプログラムの指示に基づき、コンピュータ上で稼動しているOSなどが、実際の処理の一部または全部を行い、その処理によっても前述した実施形態の機能が実現され得る。
【００３５】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるCPUなどが実際の処理の一部または全部を行い、その処理によっても前述した実施形態の機能が実現される。
【図面の簡単な説明】
【００３６】
【図１】第一の実施形態における、目標とする光沢感を実現するための、画像処理装置の概要を表すブロック図である。
【図２】第一の実施形態における、図１記載の画像処理装置の処理の流れを記載したフローチャートである。
【図３】第一の実施形態における光沢感の評価方法である２次元評価グラフの概要、および、該２次元評価グラフの見方を説明する図である。
【図４】図３に記載された２次元評価グラフの利用の一形態であり、光沢目標値と光沢評価値との差の示す図である。
【図５】第一の実施形態における、光沢ムラ抑制のための、画像処理装置の概要を表すブロック図である。
【図６】第一の実施形態における図６記載の画像処理装置における処理の流れを記載したフローチャートである。
【図７】図６のフローチャートにおけるステップＳ６０７の処理の流れを詳細に記載したフローチャートである。
【図８】所定の色信号値である複数パッチの光沢評価値に基づき、所定の色信号値における光沢評価値の重心点を算出する方法を説明する図である。
【図９】代表的な複数の色信号値に対する複数パッチの光沢評価値に基づき、代表的な色信号値における光沢評価値の各重心点を算出する方法、および、代表的な色信号値全ての光沢評価値の各重心点に基づき全重心点を算出する方法、および、全重心点の位置に基づき各色信号値における色分解を決定する方法、を説明する図である。
【図１】
2008072478.tif 000006
【図２】
2008072478.tif 000007
【図３】
2008072478.tif 000008
【図４】
2008072478.tif 000009
【図５】
2008072478.tif 000010
【図６】
2008072478.tif 000011
【図７】
2008072478.tif 000012
【図８】
2008072478.tif 000013
【図９】
2008072478.tif 000014